(57)【要約】  【課題】  本発明は、少ない労力でデバイスに適切な設定情報を登録することのできる情報処理装置、デバイス、設定情報登録方法、設定情報登録プログラムを提供する。  【解決手段】  テンプレート作成部１０が管理者の指示に基づいてデバイスに登録する設定情報を生成するためのテンプレート１１を作成し、個人情報設定部２０が利用者による個人情報の入力を受け付けて設定情報に含まれる個人情報２１を作成する。そして、個人情報適応部３０が、テンプレート１１に個人情報２１を適応して設定情報３１を生成する。そして、この設定情報３１がデバイスに登録される。【選択図】        図１
2007141058.tif 000002
【特許請求の範囲】
【請求項１】
利用者に依存する情報を含む設定情報を利用して動作するデバイスに、該設定情報を登録する情報処理装置において、
利用者による個人情報の設定を受け付ける個人情報設定手段と、
前記個人情報設定手段が受け付けた個人情報を保持する個人情報保持手段と、
前記デバイスに設定する設定情報のテンプレートを取得するテンプレート取得手段と、  前記個人情報保持手段が保持する個人情報を前記テンプレート取得手段が取得したテンプレートに適応して前記デバイスに設定する設定情報を生成する設定情報生成手段と、
前記設定情報生成手段が生成した設定情報を前記デバイスに登録する設定情報登録手段と
を具備することを特徴とする情報処理装置。
【請求項２】
前記テンプレートは、複数の利用者に共有の共有情報と、個人情報と置き換えられる置換情報とを含むことを特徴とする請求項１記載の情報処理装置。
【請求項３】
利用者に依存する情報を含む設定情報を利用して動作するデバイスに、該設定情報を登録する情報処理装置において、
前記デバイスに設定する設定情報のテンプレートの設定を受け付けるテンプレート設定手段と、
前記テンプレート設定手段が受け付けたテンプレートを保持するテンプレート保持手段と、
前記デバイスに設定する利用者の個人情報を取得する個人情報取得手段と、
前記個人情報取得手段が取得した個人情報を前記テンプレート保持手段が保持しているテンプレートに適応して前記デバイスに設定する設定情報を生成する設定情報生成手段と、
前記設定情報生成手段が生成した設定情報を前記デバイスに登録する設定情報登録手段と
を具備することを特徴とする情報処理装置。
【請求項４】
前記テンプレートは、複数の利用者に共有の共有情報と、個人情報と置き換えられる置換情報とを含むことを特徴とする請求項３記載の情報処理装置。
【請求項５】
利用者に依存する情報を含む設定情報を利用して動作するデバイスにおいて、
利用者の個人情報を取得する個人情報取得手段と、
設定情報のテンプレートを取得するテンプレート取得手段と、
前記個人情報取得手段が取得した個人情報を前記テンプレート取得手段が取得したテンプレートに適応して設定情報を生成する設定情報生成手段と、
前記設定情報生成手段が生成した設定情報を登録する設定情報登録手段と
を具備することを特徴とするデバイス。
【請求項６】
前記テンプレートは、複数の利用者に共有の共有情報と、個人情報と置き換えられる置換情報とを含むことを特徴とする請求項５記載のデバイス。
【請求項７】
利用者に依存する情報を含む設定情報を利用して動作するデバイスに、該設定情報を登録する設定情報登録方法において、
個人情報設定手段が利用者による個人情報の設定を受け付け、テンプレート設定手段が前記デバイスに設定する設定情報のテンプレートの設定を受け付け、設定情報生成手段が前記個人情報を前記テンプレートに適応して前記デバイスに設定する設定情報を生成し、設定情報登録手段が前記設定情報を前記デバイスに登録することを特徴とする設定情報登録方法。
【請求項８】
前記テンプレートは、複数の利用者に共有の共有情報と、個人情報と置き換えられる置換情報とを含むことを特徴とする請求項７記載の設定情報登録方法。
【請求項９】
利用者に依存する情報を含む設定情報を利用して動作するデバイスに、該設定情報を登録する設定情報登録プログラムにおいて、
利用者による個人情報の設定を受け付ける個人情報設定処理と、
前記デバイスに設定する設定情報のテンプレートを取得するテンプレート取得処理と、  前記個人情報設定処理で受け付けた個人情報を前記テンプレート取得処理で取得したテンプレートに適応して前記デバイスに設定する設定情報を生成する設定情報生成処理と、
前記設定情報生成処理で生成した設定情報を前記デバイスに登録する設定情報登録処理と
をコンピュータに実行させることを特徴とする設定情報登録プログラム。
【請求項１０】
利用者に依存する情報を含む設定情報を利用して動作するデバイスに、該設定情報を登録する設定情報登録プログラムにおいて、
前記デバイスに設定する設定情報のテンプレートの設定を受け付けるテンプレート設定処理と、
前記デバイスに設定する利用者の個人情報を取得する個人情報取得処理と、
前記個人情報取得処理で取得した個人情報を前記テンプレート設定処理で設定したテンプレートに適応して前記デバイスに設定する設定情報を生成する設定情報生成処理と、
前記設定情報生成処理で生成した設定情報を前記デバイスに登録する設定情報登録処理と
をコンピュータに実行させることを特徴とする設定情報登録プログラム。
【請求項１１】
利用者に依存する情報を含む設定情報を利用して動作するデバイスに、該設定情報を登録する設定情報登録プログラムにおいて、
前記デバイスに設定する利用者の個人情報を取得する個人情報取得処理と、
前記デバイスに設定する設定情報のテンプレートを取得するテンプレート取得処理と、  前記個人情報取得処理で取得した個人情報を前記テンプレート取得処理で取得したテンプレートに適応して前記デバイスに設定する設定情報を生成する設定情報生成処理と、
前記設定情報生成処理で生成した設定情報を前記デバイスに登録する設定情報登録処理と
をコンピュータに実行させることを特徴とする設定情報登録プログラム。
【請求項１２】
前記テンプレートは、複数の利用者に共有の共有情報と、個人情報と置き換えられる置換情報とを含むことを特徴とする請求項９乃至１１のいずれかに記載の設定情報登録プログラム。
【発明の詳細な説明】
【技術分野】
【０００１】
本発明は、情報処理装置、デバイス、設定情報登録方法、設定情報登録プログラムに関し、特に、利用者に依存する情報を含む設定情報を利用して動作するデバイスに設定情報を登録する情報処理装置、デバイス、設定情報登録方法、設定情報登録プログラムに関する。
【背景技術】
【０００２】
近年、登録された設定情報に基づいて動作するデバイスが増加している。例えば、文書処理装置においては、文書の印刷やスキャン、各種定型処理等を、文書フロー処理として実行することができるが、この文書フロー処理を実行するためには、予め文書処理装置に設定情報を登録しておく必要がある。
【０００３】
この設定情報の登録は、各利用者が個別に行う場合もあるが、管理者が一括して行う場合もある。管理者が一括して登録を行う理由としては、各利用者の文書処理環境を統一的に、あるいや権限ごとに適切に構築したい等の事柄が挙げられる。
【０００４】
しかしながら、文書処理環境を構築する際には、必要な設定情報として、ユーザアカウント、パスワード、文書の送信先の宛先などの、個人に依存する情報が含まれる場合がある。この場合には、管理者は各利用者毎に設定を行う必要があるが、これは、文書処理環境の設定方法が同じであっても、各利用者毎に設定情報を用意しなければならず、時間のかかる単調作業になり、その労力や、単純な設定ミスなどが問題になる。
【０００５】
なお、環境に応じた設定情報を利用するデバイスとしては、特許文献１に記載されたもの等がある。
【特許文献１】特開２００１−２０２２４９号公報
【発明の開示】
【発明が解決しようとする課題】
【０００６】
前述のように、デバイスに登録する設定情報に、利用者個人に依存する情報が含まれる場合には、管理者が統一的な環境を構築しようとした際に、その作業に要する労力が必要であり、また、ミスが生じる場合もあった。
【０００７】
そこで、本発明は、少ない労力でデバイスに適切な設定情報を登録することのできる情報処理装置、デバイス、設定情報登録方法、設定情報登録プログラムを提供することを目的とする。
【課題を解決するための手段】
【０００８】
前述した目的を達成するため、請求項１の発明は、利用者に依存する情報を含む設定情報を利用して動作するデバイスに、該設定情報を登録する情報処理装置において、利用者による個人情報の設定を受け付ける個人情報設定手段と、前記個人情報設定手段が受け付けた個人情報を保持する個人情報保持手段と、前記デバイスに設定する設定情報のテンプレートを取得するテンプレート取得手段と、前記個人情報保持手段が保持する個人情報を前記テンプレート取得手段が取得したテンプレートに適応して前記デバイスに設定する設定情報を生成する設定情報生成手段と、前記設定情報生成手段が生成した設定情報を前記デバイスに登録する設定情報登録手段とを具備することを特徴とする。
【０００９】
また、請求項２の発明は、請求項１の発明において、前記テンプレートは、複数の利用者に共有の共有情報と、個人情報と置き換えられる置換情報とを含むことを特徴とする。
【００１０】
また、請求項３の発明は、利用者に依存する情報を含む設定情報を利用して動作するデバイスに、該設定情報を登録する情報処理装置において、前記デバイスに設定する設定情報のテンプレートの設定を受け付けるテンプレート設定手段と、前記テンプレート設定手段が受け付けたテンプレートを保持するテンプレート保持手段と、前記デバイスに設定する利用者の個人情報を取得する個人情報取得手段と、前記個人情報取得手段が取得した個人情報を前記テンプレート保持手段が保持しているテンプレートに適応して前記デバイスに設定する設定情報を生成する設定情報生成手段と、前記設定情報生成手段が生成した設定情報を前記デバイスに登録する設定情報登録手段とを具備することを特徴とする。
【００１１】
また、請求項４の発明は、請求項３の発明において、前記テンプレートは、複数の利用者に共有の共有情報と、個人情報と置き換えられる置換情報とを含むことを特徴とする。
【００１２】
また、請求項５の発明は、利用者に依存する情報を含む設定情報を利用して動作するデバイスにおいて、利用者の個人情報を取得する個人情報取得手段と、設定情報のテンプレートを取得するテンプレート取得手段と、前記個人情報取得手段が取得した個人情報を前記テンプレート取得手段が取得したテンプレートに適応して設定情報を生成する設定情報生成手段と、前記設定情報生成手段が生成した設定情報を登録する設定情報登録手段とを具備することを特徴とする。
【００１３】
また、請求項６の発明は、請求項５の発明において、前記テンプレートは、複数の利用者に共有の共有情報と、個人情報と置き換えられる置換情報とを含むことを特徴とする。
【００１４】
また、請求項７の発明は、利用者に依存する情報を含む設定情報を利用して動作するデバイスに、該設定情報を登録する設定情報登録方法において、個人情報設定手段が利用者による個人情報の設定を受け付け、テンプレート設定手段が前記デバイスに設定する設定情報のテンプレートの設定を受け付け、設定情報生成手段が前記個人情報を前記テンプレートに適応して前記デバイスに設定する設定情報を生成し、設定情報登録手段が前記設定情報を前記デバイスに登録することを特徴とする。
【００１５】
また、請求項８の発明は、請求項７の発明において、前記テンプレートは、複数の利用者に共有の共有情報と、個人情報と置き換えられる置換情報とを含むことを特徴とする。
【００１６】
また、請求項９の発明は、利用者に依存する情報を含む設定情報を利用して動作するデバイスに、該設定情報を登録する設定情報登録プログラムにおいて、利用者による個人情報の設定を受け付ける個人情報設定処理と、前記デバイスに設定する設定情報のテンプレートを取得するテンプレート取得処理と、  前記個人情報設定処理で受け付けた個人情報を前記テンプレート取得処理で取得したテンプレートに適応して前記デバイスに設定する設定情報を生成する設定情報生成処理と、前記設定情報生成処理で生成した設定情報を前記デバイスに登録する設定情報登録処理とをコンピュータに実行させることを特徴とする。
【００１７】
また、請求項１０の発明は、利用者に依存する情報を含む設定情報を利用して動作するデバイスに、該設定情報を登録する設定情報登録プログラムにおいて、前記デバイスに設定する設定情報のテンプレートの設定を受け付けるテンプレート設定処理と、前記デバイスに設定する利用者の個人情報を取得する個人情報取得処理と、前記個人情報取得処理で取得した個人情報を前記テンプレート設定処理で設定したテンプレートに適応して前記デバイスに設定する設定情報を生成する設定情報生成処理と、前記設定情報生成処理で生成した設定情報を前記デバイスに登録する設定情報登録処理とをコンピュータに実行させることを特徴とする。
【００１８】
また、請求項１１の発明は、利用者に依存する情報を含む設定情報を利用して動作するデバイスに、該設定情報を登録する設定情報登録プログラムにおいて、前記デバイスに設定する利用者の個人情報を取得する個人情報取得処理と、前記デバイスに設定する設定情報のテンプレートを取得するテンプレート取得処理と、  前記個人情報取得処理で取得した個人情報を前記テンプレート取得処理で取得したテンプレートに適応して前記デバイスに設定する設定情報を生成する設定情報生成処理と、前記設定情報生成処理で生成した設定情報を前記デバイスに登録する設定情報登録処理とをコンピュータに実行させることを特徴とする。
【００１９】
また、請求項１２の発明は、請求項９乃至１１のいずれかの発明において、前記テンプレートは、複数の利用者に共有の共有情報と、個人情報と置き換えられる置換情報とを含むことを特徴とする。
【発明の効果】
【００２０】
本発明によれば、デバイスに管理者が所望する設定情報を登録する際に、管理者に多大な労力をかけることなく、適切な設定情報をデバイスに登録することが可能となる。
【発明を実施するための最良の形態】
【００２１】
以下、本発明に係る情報処理装置、デバイス、設定情報登録方法、設定情報登録プログラムの一実施の形態について、添付図面を参照して詳細に説明する。
【００２２】
図１は、本発明の概略を説明するための図である。本発明を適用した各構成では、管理者がテンプレート作成部１０で、テンプレート１１を作成し、利用者が、それぞれ、個人情報設定部２０で個人情報２１を作成する。そして、個人情報適応部３０が、テンプレート１１に個人情報２１を適応し、デバイスに登録する設定情報３１を生成する。
【００２３】
テンプレート作成部１０は、管理者の指示にしたがってテンプレート１１を作成するが、その作成に際しては、情報を入力させるためのフォームを管理者に提供して情報を入力させる方法や、対話形式により管理者に情報を入力させる方法、エディタによりテンプレート１１の全てを管理者に記述させる方法等の様々な方法のいずれかによって管理者の指示をテンプレート１１に反映する。
【００２４】
テンプレート１１は、例えば、図２に示すようなもので、図２に示した例においては、文書を保存する親展ボックスの番号、その親展ボックスにアクセスするためのパスワード、文書の転送先となるＰＣ（パーソナルコンピュータ）の名前、そのＰＣ内での文書の保存先のパスを、個人情報２１を適応する箇所としており、それぞれ、「<BoxNo template="true"/>」、「  <Password template="true"/>」、「<TargetPC template="true"/>」、「<Path template="true"/>と記述されている。
【００２５】
個人情報設定部２１は、利用者の指示にしたがって個人情報２１を作成するが、その作成に際しては、情報を入力させるためのフォームを利用者に提供して情報を入力させる方法や、対話形式により利用者に情報を入力させる方法、エディタにより個人情報２１の全てを利用者に記述させる方法等の様々な方法のいずれかによって利用者の指示を個人情報２１に反映する。
【００２６】
個人情報２１は、例えば、図３に示すようなもので、図３に示した例においては、文書を保存する親展ボックスの番号「100」、その親展ボックスにアクセスするためのパスワード「xxxx」、文書の転送先となるＰＣの名前「AAA」、そのＰＣ内での文書の保存先のパス「aaa/bbb/ccc」の各情報を有しており、それぞれ、「<Adujst><Source xpath="Service[type='PrivateBox']/BoxNo"><Target>100</Target></Adujst>」、「<Adujst><Source xpath="Service[type='PrivateBox']/Password"><Target>xxxx</Target></Adujst>」、「<Adujst><Source xpath="Service[type='PrivateBox']/Transfer/TargetPC"><Target>AAA</Target></Adujst>」、「<Adujst><Source xpath="Service[type='PrivateBox']/Transfer/Path"><Target> aaa/bbb/ccc/</Target></Adujst>」と記述されている。
【００２７】
個人情報適応部３０は、テンプレート１１に個人情報２１を適応して設定情報３１を生成する。その処理としては、例えば、テンプレート１１を先頭（若しくは末尾）から順次検索し、個人情報２１を適応すべき箇所を確認する。そして、確認した箇所に対応する情報を個人情報２１から検索し、検索した情報をテンプレート１１の該当箇所の情報と置き換えることにより行う。
【００２８】
この処理を具体的に説明すると、まず、個人情報適応部３０は、テンプレート１１を先頭から検索し、個人情報２１を適応すべき箇所である「template="true"」の文字列を含むタグ（記述）である「<BoxNo template="true"/>」を確認する。この「<BoxNo template="true"/>」は、「type="PrivateBox"」の属性を有するサービスであることを示す「<Service type='PrivateBox' name="some service">」タグと「</Service>」タグに囲まれているため、「type="PrivateBox"」の属性を有する「BoxNo」の情報を個人情報２１から検索する。その結果、個人情報２１からは、「<Source xpath="Service[type='PrivateBox']/BoxNo">」タグが検索され、当該タグとともに「<Adujst>」タグと「</Adujst>」タグで囲まれた「<Target>100</Target>」を確認することができる。「<Target>」タグと「</Target>」タグに囲まれた「100」は、「BoxNo」の値であるから、個人情報適応部３０は、テンプレート１１の「<BoxNo template="true"/>」の記述を、「<BoxNo>100</BoxNo>」の記述に置き換える。その後、テンプレート１１から個人情報２１を適応すべき箇所を再び検出し、同様の処理を繰り返し、個人情報２１を適応すべき全ての箇所を対応する情報に置き換えると、設定情報３１の生成処理を終了する。
【００２９】
テンプレート１１に個人情報２１を適応したテンプレート３１は、図４に示すようなもので、図４に示した例においては、文書を保存する親展ボックスの番号「100」、その親展ボックスにアクセスするためのパスワード「xxxx」、文書の転送先となるＰＣの名前「AAA」、そのＰＣ内での文書の保存先のパス「aaa/bbb/ccc」の各情報が組み込まれたものとなっている。
【００３０】
なお、本発明を適用した構成の詳細については、各実施例で説明する。
【実施例１】
【００３１】
図５は、本発明を適用したネットワークシステムの構成例を示した図である。同図に示すネットワークシステムは、管理者が使用する管理者ＰＣ１０１と、各利用者が使用するユーザＰＣ１０２（１０２−１〜１０２−ｎ）、デバイス１０３がネットワーク１００に接続されて構成されている。なお、実施例１では、デバイス１０３が画像形成等を行う複合機であることを想定しているが、情報処理装置などの設定情報を利用して動作する装置をデバイス１０３とすることも可能であり、管理者ＰＣ１０１やユーザＰＣ１０２をもデバイス１０３とすることが可能である。
【００３２】
図６は、管理者ＰＣ１０１と、ユーザＰＣ１０２（１０２−１〜１０２−ｎの任意のいずれか）、デバイス１０３の機能的な構成を示すブロック図である。なお、同図においては、本発明と直接関係しない構成部分については省略している。
【００３３】
同図に示すように、管理者ＰＣ１０１は、テンプレート作成部１１１とテンプレート配信部１１２を具備して構成され、ユーザＰＣ１０２は、個人情報設定部１２１と、個人情報保持部１２２、テンプレート取得部１２３、個人情報適応部１２４、設定情報登録部１２５を具備して構成される。また、デバイス１０３は、登録受付部１３１と設定情報格納部１３２を具備して構成される。なお、同図に示した各部は、コンピュータ等を構成する演算装置や記憶装置等のリソースと、これらを動作させるプログラムにより実現されるものである。
【００３４】
テンプレート作成部１１１は、図１に示したテンプレート作成部１０に相当するもので、管理者の指示を受け付け、受け付けた指示に基づいてテンプレート１１を作成する。テンプレート配信部１１２は、テンプレート作成部１１１で作成されたテンプレート１０を、ユーザＰＣ１０２のそれぞれに配信する。
【００３５】
個人情報設定部１２１は、図１に示した個人情報設定部２０に相当するもので、利用者の指示を受け付け、受け付けた指示に基づいて個人情報２１を作成する。個人情報保持部１２２は、個人情報設定部１２１が作成した個人情報２１を保持する。
【００３６】
テンプレート取得部１２３は、テンプレート配信部１１２が配信するテンプレート１１を取得する。個人情報適応部１２４は、図１に示した個人情報適応部３０に相当するもので、テンプレート取得部１２３が取得したテンプレート１１に、個人情報保持部１２２が保持している個人情報２１を適応し、設定情報３１を生成する。設定情報登録部１２５は、個人情報適応部１２４が生成した設定情報３１をデバイス１０３に登録する。
【００３７】
登録受付部１３１は、設定情報登録部１２５が登録しようとする設定情報３１を受け付け、設定情報格納部１３２は、登録受付部１３１が受け付けた設定情報３１を格納する。設定情報格納部１３２に格納された設定情報３１は、デバイス１０３の図示しない制御部等によって参照され、定型処理等に利用される。
【実施例２】
【００３８】
図７は、管理者ＰＣ２０１と、ユーザＰＣ２０２、デバイス２０３の機能的な構成を示すブロック図である。なお、同図においては、本発明と直接関係しない構成部分については省略している。なお、管理者ＰＣ２０１と、ユーザＰＣ２０２、デバイス２０３は、それぞれ、管理者ＰＣ１０１、ユーザＰＣ１０２、デバイス１０３と同様に、図５に示すようなネットワークシステムを構成するものである。また、実施例２では、デバイス２０３が画像形成等を行う複合機であることを想定しているが、情報処理装置などの設定情報を利用して動作する装置をデバイス２０３とすることも可能であり、管理者ＰＣ２０１やユーザＰＣ２０２をもデバイス２０３とすることが可能である。
【００３９】
図７に示すように、管理者ＰＣ２０１は、テンプレート作成部２１１とテンプレート保持部２１２、個人情報取得部２１３、個人情報適応部２１４、設定情報登録部２１５を具備して構成され、ユーザＰＣ２０２は、個人情報設定部２２１と個人情報保持部２２２を具備して構成される。また、デバイス２０３は、登録受付部２３１と設定情報格納部２３２を具備して構成される。なお、同図に示した各部は、コンピュータ等を構成する演算装置や記憶装置等のリソースと、これらを動作させるプログラムにより実現されるものである。
【００４０】
個人情報設定部２２１は、図１に示した個人情報設定部２０に相当するもので、利用者の指示を受け付け、受け付けた指示に基づいて個人情報２１を作成する。個人情報保持部２２２は、個人情報設定部２２１が作成した個人情報２１を保持する。
【００４１】
テンプレート作成部２１１は、図１に示したテンプレート作成部１０に相当するもので、管理者の指示を受け付け、受け付けた指示に基づいてテンプレート１１を作成する。テンプレート保持部２１２は、テンプレート作成部２１１が作成したテンプレート１１を保持する。
【００４２】
個人情報取得部２１３は、ユーザＰＣ２０２のそれぞれが個人情報保持部２２２に保持している個人情報２１を取得する。個人情報適応部２１４は、図１に示した個人情報適応部３０に相当するもので、テンプレート保持部２１２が保持しているテンプレート１１に、個人情報取得部２１３が取得した個人情報２１を適応し、設定情報３１を生成する。この設定情報３１は、ユーザＰＣ２０２毎に生成される。設定情報登録部２１５は、個人情報適応部２１４が生成した設定情報３１をデバイス２０３に登録する。
【００４３】
登録受付部２３１は、設定情報登録部２１５が登録しようとする設定情報３１を受け付け、設定情報格納部２３２は、登録受付部２３１が受け付けた設定情報３１を格納する。設定情報格納部２３２に格納された設定情報３１は、デバイス２０３の図示しない制御部等によって参照され、定型処理等に利用される。
【実施例３】
【００４４】
図８は、管理者ＰＣ３０１と、ユーザＰＣ３０２、デバイス３０３の機能的な構成を示すブロック図である。なお、同図においては、本発明と直接関係しない構成部分については省略している。なお、管理者ＰＣ３０１と、ユーザＰＣ３０２、デバイス３０３は、それぞれ、管理者ＰＣ１０１、ユーザＰＣ１０２、デバイス１０３と同様に、図５に示すようなネットワークシステムを構成するものである。また、実施例３では、デバイス３０３が画像形成等を行う複合機であることを想定しているが、情報処理装置などの設定情報を利用して動作する装置をデバイス３０３とすることも可能であり、管理者ＰＣ３０１やユーザＰＣ３０２をもデバイス３０３とすることが可能である。
【００４５】
図８に示すように、管理者ＰＣ３０１は、テンプレート作成部３１１とテンプレート保持部３１２を具備して構成され、ユーザＰＣ３０２は、個人情報設定部３２１と個人情報保持部３２２を具備して構成される。また、デバイス３０３は、テンプレート取得部３３１と、個人情報取得部３３２、個人情報適応部３３３、設定情報格納部３３４を具備して構成される。なお、同図に示した各部は、コンピュータ等を構成する演算装置や記憶装置等のリソースと、これらを動作させるプログラムにより実現されるものである。
【００４６】
テンプレート作成部３１１は、図１に示したテンプレート作成部１０に相当するもので、管理者の指示を受け付け、受け付けた指示に基づいてテンプレート１１を作成する。テンプレート保持部３１２は、テンプレート作成部３１１が作成したテンプレート１１を保持する。
【００４７】
個人情報設定部３２１は、図１に示した個人情報設定部２０に相当するもので、利用者の指示を受け付け、受け付けた指示に基づいて個人情報２１を作成する。個人情報保持部３２２は、個人情報設定部３２１が作成した個人情報２１を保持する。
【００４８】
テンプレート取得部３３１は、管理者ＰＣ３０１がテンプレート保持部３１２に保持しているテンプレート１１を取得する。個人情報取得部３３２は、ユーザＰＣ３０２のそれぞれが個人情報保持部３２２に保持している個人情報２１を取得する。個人情報適応部３３３は、図１に示した個人情報適応部３０に相当するもので、テンプレート取得部３３１が取得したテンプレート１１に、個人情報取得部３３２が取得した個人情報２１を適応し、設定情報３１を生成する。この設定情報３１は、ユーザＰＣ３０２毎に生成される。設定情報格納部３３４は、個人情報適応部３３３が生成した設定情報３１を格納する。設定情報格納部３３４に格納された設定情報３１は、デバイス３０３の図示しない制御部等によって参照され、定型処理等に利用される。
【図面の簡単な説明】
【００４９】
【図１】本発明の概略を説明するための図である。
【図２】テンプレート１１の例を示した図である。
【図３】個人情報２１の例を示した図である。
【図４】設定情報３１の例を示した図である。
【図５】本発明を適用したネットワークシステムの構成例を示した図である。
【図６】管理者ＰＣ１０１と、ユーザＰＣ１０２、デバイス１０３の機能的な構成を示すブロック図である。
【図７】管理者ＰＣ２０１と、ユーザＰＣ２０２、デバイス２０３の機能的な構成を示すブロック図である。
【図８】管理者ＰＣ３０１と、ユーザＰＣ３０２、デバイス３０３の機能的な構成を示すブロック図である。
【符号の説明】
【００５０】
１０    テンプレート作成部
１１    テンプレート
２０    個人情報設定部
２１    個人情報
３０    個人情報適応部
３１    設定情報
１００    ネットワーク
１０１    管理者ＰＣ
１０２、１０２−１〜１０２−ｎ    ユーザＰＣ
１０３    デバイス
１１１    テンプレート作成部
１１２    テンプレート配信部
１２１    個人情報設定部
１２２    個人情報保持部
１２３    テンプレート取得部
１２４    個人情報適応部
１２５    設定情報登録部
１３１    登録受付部
１３２    設定情報格納部
２０１    管理者ＰＣ
２０２    ユーザＰＣ
２０３    デバイス
２１１    テンプレート作成部
２１２    テンプレート保持部
２１３    個人情報取得部
２１４    個人情報適応部
２１５    設定情報登録部
２２１    個人情報設定部
２２２    個人情報保持部
２３１    登録受付部
２３２    設定情報格納部
３０１    管理者ＰＣ
３０２    ユーザＰＣ
３０３    デバイス
３１１    テンプレート作成部
３１２    テンプレート保持部
３２１    個人情報設定部
３２２    個人情報保持部
３３１    テンプレート取得部
３３２    個人情報取得部
３３３    個人情報適応部
３３４    設定情報格納部
【図１】
2007141058.tif 000003
【図２】
2007141058.tif 000004
【図３】
2007141058.tif 000005
【図４】
2007141058.tif 000006
【図５】
2007141058.tif 000007
【図６】
2007141058.tif 000008
【図７】
2007141058.tif 000009
【図８】
2007141058.tif 000010